(57)【要約】【課題】ＩＣカード単体で計数を行い、一定の値に到達した場合などの必要に応じて、ネットワーク上のサーバに通知を行い、課金を行うことが可能なＩＣカードおよびＩＣカードにおける課金方法を提供することを目的とする。【解決手段】携帯情報端末の使用状況などの計数値を記憶する記憶手段と、計数対象が予め記憶している設定値に到達した場合に予め記憶している通知先情報に基づきネットワーク上の通知先に接続を行い通知先に対して計数対象を送信する送信手段とを設けた、無線ネットワークに接続可能な携帯情報端末に対して着脱可能なＩＣカード、および同ＩＣカードを用いて、ＩＣカード単体で計数を行い、一定の値に達した場合に、ネットワーク上のサーバに接続し、課金を行う課金方法を提供する。【選択図】  図４
2004171270.tif 000002
【特許請求の範囲】
【請求項１】
データ通信機能を備えて無線ネットワークに接続可能な携帯情報端末に対して着脱可能なＩＣカードであって、
前記携帯情報端末の使用状況などの計数値を記憶する記憶手段と、
前記計数対象が予め記憶している設定値に到達した場合に、予め記憶している通知先情報に基づきネットワーク上の通知先に接続を行い、前記通知先に対して前記計数対象を送信する送信手段と、
を備えることを特徴とするＩＣカード。
【請求項２】
請求項１記載のＩＣカードであって、
前記記憶手段が、
前記計数対象を記憶する計数値記憶領域と、
前記設定値を記憶する設定値記憶領域と、
前記通知先情報を記憶する通知先記憶領域と、
を備えることを特徴とするＩＣカード。
【請求項３】
請求項１または２記載のＩＣカードであって、
前記通知先記憶領域に記憶する通知先情報が、
前記通知先のＩＰアドレス、
またはＵＲＬ、
またはＥ−Ｍａｉｌアドレス、
であることを特徴とするＩＣカード。
【請求項４】
請求項１から３のいずれかに記載のＩＣカードであって、
前記設定値が、
前記計数対象が到達するか判断する到達値、
または通知を行う周期、
であることを特徴とするＩＣカード。
【請求項５】
請求項１から４のいずれかに記載のＩＣカードであって、
前記計数対象と、前記設定値と、前記通知先情報とを関連付けて１組の情報として記憶する管理テーブルを備え、
前記管理テーブルが、複数組の情報を記憶する、
ことを特徴とするＩＣカード。
【請求項６】
請求項１から５のいずれかに記載のＩＣカードであって、
前記管理テーブルが、
一つの計数対象に対して、複数の異なる通知先情報の関連付けを行う、
ことを特徴とするＩＣカード。
【請求項７】
請求項１から６のいずれかに記載のＩＣカードであって、
前記送信手段が、
前記計数値を送信する際に、予め記憶している暗号化鍵を用いて、前記計数値など通信データを暗号化する暗号化手段、
を備えることを特徴とするＩＣカード。
【請求項８】
データ通信機能を備えて無線ネットワークに接続可能な携帯情報端末に対して着脱可能なＩＣカードを用いた課金方法であって、
設定値記憶領域に設定値を記憶する段階と、
通知先記憶領域に通知先情報を記憶する段階と、
前記ＩＣカードにおいて、計数対象の計数値の演算を行い計数値記憶領域に記憶する段階と、
前記計数値記憶領域に記憶した計数値が、前記設定値に到達したか否かを判定する段階と、
前記計数値が前記設定値に到達した場合に、前記計数値を前記通知先情報で示す通知先に送信する段階と、
を設けたことを特徴とするＩＣカードを用いた課金方法。
【請求項９】
請求項８記載のＩＣカードを用いた課金方法であって、
前記設定値記憶領域に一つの計数値に対して複数の異なる設定値を記憶する段階と、
前記通知先記憶領域に前記複数の設定値の各々に対して異なる通知先情報を記憶する段階と、
前記計数値記憶領域に記憶した計数値が、前記複数の設定値の各々に到達したか否かを判定する段階と、
前記計数値が前記複数の設定値の一つに到達する都度、前記計数値を該設定値に対応させて記憶した通知先情報で示す通知先に送信する段階と、
を設けたことを特徴とするＩＣカードを用いた課金方法。
【請求項１０】
請求項８または９記載のＩＣカードを用いた課金方法であって、
前記計数値を前記通知先情報で示す通知先に送信する段階において、
前記計数値を暗号化する段階と、
前記暗号化した計数値を送信する段階と、
を設けたことを特徴とするＩＣカードを用いた課金方法。
【発明の詳細な説明】
【０００１】
【発明の属する技術分野】
本発明は、ＩＣカードに関し、特に、ＩＣカードを用いて課金処理を行うアプリケーションに関するものである。
【０００２】
【従来の技術】
従来、ＩＣカードは、店頭やレジの端末から購入する品物の代金やサービスに対する対価などの支払い額を入力し、ＩＣカードに予めチャージされている電子マネーの残高から支払い処理を行うＩＣカードを用いた決済システムで利用されている。
【０００３】
また、ＩＣカードが備える演算機能およびメモリは、ＰＩＮ（Ｐｅｒｓｏｎａｌ  Ｉｄｅｎｔｉｆｉｃａｔｉｏｎ  Ｎｕｍｂｅｒ）入力の試行回数の管理や、買物の金額に応じてＩＣカード内においてポイントの加算を行い、ＩＣカードを端末装置に挿入し、端末装置に指示を出すことでポイントを使用するポイントアプリケーションにも利用されている。
【０００４】
また、ＩＣカード内に証明書などの発行枚数の計数領域を設け、打ち出した証明書などの枚数に応じて計数領域の情報を更新することにより、発行枚数の制限などを行う証明書等発行システムもある（例えば、特許文献１参照。）。
【０００５】
しかしながら、ＩＣカード内で計数を行い、その結果をＩＣカードに記憶して利用する方法は、ＩＣカードの読取装置を備えた端末装置がなければ利用することがでず、不便であるという問題がある。
【０００６】
また、ＩＣカード内で計数を行い、その計数結果が予め設定した値に到達した際に、ＩＣカードから、例えばサーバなどに計数結果を送信できると便利であるが、ＩＣカードで使用されるＩＳＯ規格の下位層（ＩＳＯ７８１６−３）は、半二重の通信プロトコルであるため、ＩＣカード側から送信を開始することは想定されておらず、ＩＣカードは、必ず端末装置側からコマンドを受信し、ＩＣカード内部の処理結果を端末装置に返信する仕組みとなっている。
【０００７】
ＩＣカードからネットワークへ送信したい場合には、まず端末装置から定期的に「送信するかどうか（ネットワークと通信を行うかどうか）」をＩＣカードへ問い合わせし（ポーリング）、それに応える形でＩＣカードが通信を開始する方式が、ＩＥＴＦ（Ｉｎｔｅｒｎｅｔ  Ｅｎｇｉｎｅｅｒｉｎｇ  Ｔａｓｋ  Ｆｏｒｃｅ）に対して提案されている（例えば、非特許文献１参照。）。
【０００８】
また、従来、携帯電話などは、端末自体にＩＤや電話番号などを記憶していたが、近年、ＵＩＭ（Ｕｓｅｒ  Ｉｄｅｎｔｉｔｙ  Ｍｏｄｕｌｅ）と呼ばれる、加入者のＩＤや電話番号などを登録し、着脱自在に接続可能な、一種のＩＣカードが登場した。
【０００９】
加入者のＩＤや電話番号などをＵＩＭに登録することにより、他の端末にこのＵＩＭを差し込むだけで、電話番号や利用環境を変えずにどんな端末でも使用できるため、携帯電話に限らず、携帯情報端末や情報家電などでの利用研究が進んでおり、今後の普及が見込まれている。
【００１０】
また、ＵＩＭのメモリ容量を増やすと、ＩＤや電話番号以外に電子マネーや使用量などの情報を格納することが可能であり、ＵＩＭを利用可能な機器は、近傍距離通信用無線機能（以下、近傍無線という）を備えているので、ＵＩＭ内で使用量を加算し、その使用量に応じた決済を行う決済システムとしての利用も想定されている。
【００１１】
ＵＩＭやＵＩＭを装着した機器を決済に利用するものとしては、移動体ネットワークに接続されている状態において、携帯電話機または着脱自在に接続されるＩＣカードに仮想コイン管理手段を設け、仮想コインの加減算および転送により携帯電話機間での決済を可能にする決済方法および決済システムがある（例えば、特許文献２参照。）。
【００１２】
上述の仮想コインを備えた決済方法および決済システムは、移動体ネットワークに接続し、電話会社のサーバによって携帯電話の通話時間やパケット通信量を把握する一般の課金方法と同様に、仮想コインによる決済を行うためには、移動体ネットワークに接続した状態でなければいけない。
【００１３】
また、決済金額が小額の場合、決済の都度移動体ネットワークへ接続していたのでは、決済額に対して通信に掛るコストが過大になるという問題もある。
【００１４】
【特許文献１】
特開平５−２８２３３６号公報
【特許文献２】
特開２００２−１９７３８８号公報
【非特許文献１】
Ｍｏｂｉｌｅ−Ｍｉｎｄ社、“ＩＰ  ａｎｄ  ＡＲＰ  ｏｖｅｒ  ＩＳＯ  ７８１６”、［ｏｎｌｉｎｅ］、２００１年１月、［平成１４年１０月１２日検索］、インターネット＜ＵＲＬ：ｈｔｔｐ：／／ｗｗｗ．ｓｃｄｋ．ｃｏｍ／ｄｒａｆｔ−ｇｕｔｈｅｒｙ−ｉｐ７８１６−０１．ｔｘｔ＞
【００１５】
【発明が解決しようとする課題】
本発明は上述の問題点に鑑みてなされたものであり、ＩＣカード単体で計数を行い、一定の値に到達した場合などの必要に応じて、ネットワーク上のサーバに通知を行い、課金を行うことが可能なＩＣカードおよびＩＣカードにおける課金方法を提供する。
【００１６】
【課題を解決するための手段】
上記目的を達成するために、本発明の第１の態様は、データ通信機能を備えて無線ネットワークに接続可能な携帯情報端末に対して着脱可能なＩＣカードにおいて、前記携帯情報端末の使用状況などの計数値を記憶する記憶手段と、前記計数対象が予め記憶している設定値に到達した場合に、予め記憶している通知先情報に基づきネットワーク上の通知先に接続を行い、前記通知先に対して前記計数対象を送信する送信手段とを設けたものである。
【００１７】
本発明の第２の態様は、上述の第１の態様に係るＩＣカードにおいて、前記記憶手段に、前記計数対象を記憶する計数値記憶領域と、前記設定値を記憶する設定値記憶領域と、前記通知先情報を記憶する通知先記憶領域とを設けたものである。
【００１８】
本発明の第３の態様は、上述の第１または２の態様に係るＩＣカードにおいて、前記通知先記憶領域に記憶する通知先情報を、前記通知先のＩＰアドレス、またはＵＲＬ、またはＥ−Ｍａｉｌアドレスにより構成するようにしたものである。
【００１９】
本発明の第４の態様は、上述の第１から３の態様に係るＩＣカードにおいて、前記設定値を、前記計数対象が到達するか判断する到達値、または通知を行う周期により構成するようにしたものである。
【００２０】
本発明の第５の態様は、上述の第１から４の態様に係るＩＣカードにおいて、前記計数対象と、前記設定値と、前記通知先情報とを関連付けて１組の情報として記憶する管理テーブルを備え、前記管理テーブルが複数組の情報を記憶するように構成したものである。
【００２１】
本発明の第６の態様は、上述の第１から５の態様に係るＩＣカードにおいて、前記管理テーブルを、一つの計数対象に対して、複数の異なる通知先情報の関連付けを行うように構成したものである。
【００２２】
本発明の第７の態様は、上述の第１から６の態様に係るＩＣカードにおいて、前記送信手段に、前記計数値を送信する際に、予め記憶している暗号化鍵を用いて前記計数値など通信データを暗号化する暗号化手段を設けたものである。
【００２３】
本発明の第８の態様は、データ通信機能を備えて無線ネットワークに接続可能な携帯情報端末に対して着脱可能なＩＣカードを用いた課金方法において、設定値記憶領域に設定値を記憶する段階と、通知先記憶領域に通知先情報を記憶する段階と、前記ＩＣカードにおいて計数対象の計数値の演算を行い計数値記憶領域に記憶する段階と、前記計数値記憶領域に記憶した計数値が前記設定値に到達したか否かを判定する段階と、前記計数値が前記設定値に到達した場合に前記計数値を前記通知先情報で示す通知先に送信する段階とを行うようにしたものである。
【００２４】
本発明の第９の態様は、上述の第８の態様に係るＩＣカードを用いた課金方法において、前記設定値記憶領域に一つの計数値に対して複数の異なる設定値を記憶する段階と、前記通知先記憶領域に前記複数の設定値の各々に対して異なる通知先情報を記憶する段階と、前記計数値記憶領域に記憶した計数値が前記複数の設定値の各々に到達したか否かを判定する段階と、前記計数値が前記複数の設定値の一つに到達する都度前記計数値を該設定値に対応させて記憶した通知先情報で示す通知先に送信する段階とを行うようにしたものである。
【００２５】
本発明の第１０の態様は、上述の第８または９の態様に係るＩＣカードを用いた課金方法において、前記計数値を前記通知先情報で示す通知先に送信する段階において、前記計数値を暗号化する段階と、前記暗号化した計数値を送信する段階とを行うようにしたものである。
【００２６】
【発明の実施の形態】
以下、本発明を図示する実施形態に基づいて説明する。図１は、本発明のＩＣカードを着脱可能な携帯電話１を用いた課金システムの全体構成図である。
【００２７】
課金システムは、携帯電話１と、インターネット２と、課金サーバ３とを備えている。図１においては、更に、携帯電話４および情報家電５を含めた説明を行う。
【００２８】
携帯電話１は、データ通信機能６、ＩＣカード７、近傍無線通信機能８を備えている。本発明に係らない一般的な携帯電話の機構および機能については、説明および図を省略する。
【００２９】
データ通信機能６は、携帯電話１がインターネットに接続するための通信機能であり、ＩＣカード７からの通信をインターネットに対して転送するルーティングの機能を有するものが好適である。
【００３０】
ＩＣカード７は、実際には、複数のアプリケーションを搭載可能なＪａｖａＣａｒｄ（登録商標）で、ネットワーク通信機能を備えている。
【００３１】
図２は、ＩＣカード７の内部の概要構成図である。ＩＣカード７は、Ｉ／Ｏ制御部９、ＣＰＵ１０、記憶手段１１、プログラム格納部１２、作業用メモリ１３を備えている。
【００３２】
Ｉ／Ｏ制御部９は、ＩＣカード７がＩＣカード用リーダ／ライタ１４と通信を行うためのインタフェースである。
【００３３】
ＣＰＵ１０は、プログラム格納部１２内に記録している様々なアプリケーションを実行するものである。アプリケーションを実行する際に、必要に応じて記憶手段１１や作業用メモリ１３を使用する。
【００３４】
記憶手段１１は、実際には不揮発メモリであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）であり、様々なデータを記憶し、保持するのに使用する。記憶手段１１は、その一部に管理テーブル１５を記憶する領域を備えている。
【００３５】
管理テーブル１５は、図３に一実施例を示すように、計数値記憶領域１６と、設定値記憶領域１７と、通知先記憶領域１８とを備えている。
【００３６】
計数値記憶領域１６は、例えば近傍無線機能８を使用した時間や通信量などの計数対象の計数値を管理する領域であり、ＩＣカード７が備えるコマンドにより加減算などの演算を行う対象である。
【００３７】
設定値記憶領域１７は、計数値記憶領域１６に記憶する計数値が一定の値に到達したかどうかを判定するための値を設定する領域である。設定値は、計測値の上限値、または１日に１回などの周期で設定する。
【００３８】
通知先記憶領域１８は、計数値が設定値に到達した場合、該計数値を送信するネットワーク上の課金サーバ３に対する通知先情報を記憶するものである。通知先情報は、課金サーバ３に割り振られたＩＰアドレス、またはＵＲＬ（Ｕｎｉｆｏｒｍ  Ｒｅｓｏｕｒｃｅ  Ｌｏｃａｔｏｒ）、またはＥ−Ｍａｉｌアドレスなど、ネットワークプロトコルにおいて、課金サーバ３を一意に特定できるものなら任意である。
【００３９】
図３に示すように、一つの計数値について、設定値、通知先の各々を複数記憶することも可能である。これにより、例えば、計数値が「１０００」の場合は、利用者に警告を出し、計数値が「３０００」の場合には課金サーバ３へ通知するなどの通知のタイミングと、通知先の使い分けが可能になる。
【００４０】
もちろん、計数値、設定値、通知先情報の各々が一つの場合は、図３に示すテーブル形式ではなく、計数値記憶領域１６、設定値記憶領域１７、通知先記憶領域１８の各々を別個のデータとして記憶することも可能である。
【００４１】
プログラム格納部１２は、ＯＳおよびアプリケーション本体を記憶するものである。ＯＳおよびアプリケーションをカード製造時に予め記録するＲＯＭ（ＲｅａｄＯｎｌｙ  Ｍｅｍｏｒｙ）か、アプリケーションをロードして使用することが可能なＥＥＰＲＯＭがある。
【００４２】
プログラム格納部１２は、例えば、携帯電話の管理アプリケーションや、近傍無線通信機能８の管理アプリケーションなどの複数のアプリケーションの他に、送信手段１９を記憶している。
【００４３】
送信手段１９は、計数値が設定値に到達した場合に、通知先情報が示す通知先に対して、該計数値を送信するものである。
【００４４】
近傍無線通信機能８は、ＢｌｕｅＴｏｏｔｈ（登録商標）などの近傍距離における通信を行うものであり、近距離において携帯電話４や情報家電５などの近傍無線通信機能８を備える機器と通信を行うものである。
【００４５】
課金サーバ３は、インターネット２に接続されて、携帯電話１と通信可能なコンピュータシステムであり、携帯電話１が送信した計数値に基づき、利用者へ課金を行うものである。
【００４６】
携帯電話４は、携帯電話１と同様な機能を備えているだけなので、説明を省略する。
【００４７】
情報家電５は、例えば、冷蔵庫などに近傍無線通信機能８を設けた、携帯電話１などの外部機器とデータの通信が可能な家電機器である。
【００４８】
以下、図４のフローチャートに従い、携帯電話１における近傍無線通信の使用に対する課金を例に、本発明のＩＣカードおよびＩＣカードを用いた課金方法を説明する。
【００４９】
携帯電話１の電源スイッチをオンにする。この時、ＩＣカード７は、携帯電話１から電源の供給を受け、ＯＳ部を起動し、コマンド受信待ち状態になる。
【００５０】
この時、例えば、近傍無線通信機能８による通信量「１００」が計数値記憶領域１６に記憶されており、設定値「２０００」が設定値記憶領域１７に記憶されており、課金サーバ３のＵＲＬが通知先情報として通知先記憶領域１８に記憶されているものとする。
【００５１】
以下の説明においては、コマンドがＩＣカード７に届く過程などは、Ｉ／Ｏ制御部９およびＩＣカード用リーダ／ライタ１４などの通信手順であるから説明を省略する。
【００５２】
利用者Ａは、利用者Ｂが携帯する携帯電話４とデータの交換（データ通信）を行うため、近傍無線通信機能８の管理アプリケーション（以下、近傍無線通信管理という）を選択する。
【００５３】
利用者Ａは、例えば、通信量が「１０００」に相当するデータの交換を、携帯電話１の近傍無線通信機能８を用いて行い、通信量「１０００」を近傍無線通信管理へ通知する。
【００５４】
近傍無線通信管理は、通信量「１０００」を計数値記憶領域１６に記憶している「１００」に加算し、加算結果の「１１００」を計数値記憶領域１６へ記憶する。
【００５５】
送信手段１９は、設定値「２０００」と計数値「１１００」を比較して、計数値が設定値に到達していないため、課金サーバ３へは通知せずに、コマンド待ち状態に戻る。
【００５６】
次に、利用者Ａが、携帯電話４を携帯する利用者Ｂと、携帯電話１で通話を行ったとする。携帯電話による通話は、近傍無線通信機能８を使用するものではないから、ＩＣカード７の近傍無線通信管理を選択せずに、通話が終われば処理を終了する。
【００５７】
例えば、情報家電５が冷蔵庫であって、利用者Ａが冷蔵庫内の在庫を確認する場合には、利用者Ａは、近傍無線通信管理を選択する。
【００５８】
利用者Ａは、例えば、冷蔵庫の在庫確認に費やした通信量（ここでは、「１５００」とする）を近傍無線通信管理へ通知する。
【００５９】
近傍無線通信管理は、通信量「１５００」を計数値記憶領域１６に記憶している「１１００」に加算し、加算結果の「２６００」を計数値記憶領域１６へ記憶する。
【００６０】
送信手段１９は、設定値「２０００」と計数値「２６００」を比較して、計数値が設定値に到達したため、課金サーバ３へ通知を行う。
【００６１】
送信手段１９は、通知先記憶領域１８から課金サーバ３のＵＲＬを取り出し、ＵＲＬに記述された通信プロトコルおよびアドレスに従って課金サーバ３への接続を行い、ＩＣカード７が固有に備えている利用者のＩＤや電話番号などと一緒に計数値「２６００」を送信し、計数値記憶領域１６をリセット（初期値の「０」に戻す）する。
【００６２】
課金サーバ３は、受信した計数値「２６００」に対して、予め設定されている単価を掛けるなどの演算を行い、利用者のＩＤや電話番号に基づいて、携帯電話１、すなわち利用者Ａに対して課金する。
【００６３】
以上、本発明を実施の形態に基づいて詳細に説明してきたが、本発明によるＩＣカードおよびＩＣカードを用いた課金方法は、上述の実施の形態に何ら限定されるものではなく、本発明の趣旨を逸脱しない範囲において種々の変更が可能なことは当然のことである。
【００６４】
例えば、図３に示す管理テーブルのように、一つの計数値に対して複数の設定値および該設定値に対応する通知先情報を記憶することにより、一つの設定値に到達した時にＥ−Ｍａｉｌで利用者に使用状況を通知し、もう一つの設定値に到達した時に、実際に課金処理を行うために課金サーバへ接続すると言った使い分けが可能になる。
【００６５】
また、例えば、近傍無線通信機能の利用と、特定のアプリケーションの利用時間などの複数の計数値を管理テーブルに記憶した場合は、使用した機能毎に通知先を設定することができるから、各々のサーバやサービス提供者が異なる場合の課金も可能である。
【００６６】
また、金額自体がインターネットという汎用的なネットワーク上を通る訳ではないが、金銭に係るデータであるから、暗号化に使用する鍵データをＵＩＭの記憶手段に記憶しておき、ネットワークに接続してサーバと通信を行う前に計数値を暗号化するのが好適である。
【００６７】
また、設定値は、計数値が到達するかどうかの上限値だけでなく、１日に一度などの周期で設定することも可能である。周期で設定した場合、当該アプリケーションが任意の期間使用されなかったとしても、確実に設定された周期で課金を行うことができる。
【００６８】
また、計数値が設定値に到達したかどうかは、複数のアプリケーションの各々が送信手段を用いて行っても、起動時やアプリケーションが計数値記憶領域にアクセスした際にＩＣカードのＯＳが行ってもよい。
【００６９】
【発明の効果】
以上のとおり、本発明に係るＩＣカードおよびＩＣカードを用いた課金方法によれば、移動体通信ネットワークに接続していない状態においても、ＩＣカードにより使用量などの計数値を管理することが可能である。
【００７０】
また、計数値がＩＣカード内で管理されているから、少量の計数値を順次加算して一括でサーバへ送信することができるため、通信回数を減らすことが可能になり、通信コストも低減させることができる。
【００７１】
また、計数値、設定値、通知先情報を記憶するＩＣカードは、携帯電話や携帯情報端末において着脱可能であるから、複数の異なる機器の計数値をその都度計数し、一括して送信することができるため、効率的であり、適用範囲が広い。
【図面の簡単な説明】
【図１】本発明のＩＣカードを着脱可能な携帯電話を用いた課金システムの全体構成図である。
【図２】本発明のＩＣカード（ＵＩＭ）内部の概要構成図である。
【図３】本発明の管理テーブルの例である。
【図４】本発明の課金方法を示すフローチャートである。
１、４携帯電話
２  インターネット
３  課金サーバ
５  情報家電
６  データ通信機能
７  ＩＣカード
８  近傍無線通信機能
９  Ｉ／Ｏ制御部
１０  ＣＰＵ
１１  記憶手段
１２  プログラム格納部
１３  作業用メモリ
１４  ＩＣカード用リーダ／ライタ
１５  管理テーブル
１６  計数値記憶領域
１７  設定値記憶領域
１８  通知先記憶領域
１９  送信手段
【図１】
2004171270.tif 000003
【図２】
2004171270.tif 000004
【図３】
2004171270.tif 000005
【図４】
2004171270.tif 000006